(57)【要約】      （修正有）【課題】灯油用ポリタンク外面に着脱可能に取り付けられる給油ポンプ用の収納ケース（垂れ受け容器ともいう）において、給油ポンプの収納に際しふらつきをなくし、取り扱い面で不都合が生じないよう安定を保つ。【解決手段】灯油用ポリタンク２０に着脱可能に取付けられる給油ポンプ用の収納ケース１０であって、上部には前記灯油用ポリタンクの給油口に取付ける枠構造１２を有し、更に下部にはふらつきを防止する目的で前記ポリタンクとの間で位置関係を保つ補助固定部材１３を有する。【選択図】図３
0003113599.tif 000002
【実用新案登録請求の範囲】
【請求項１】
灯油用ポリタンクに着脱可能に取付けられる給油ポンプ用の収納ケースであって、上部に前記灯油用ポリタンクの給油口に取付けられる枠構造を有し、更に下部にふらつきを防止する目的で前記ポリタンクとの間で位置関係を保つ補助固定部材を構成することで、給油ポンプ収納時に該ケースが給油ポンプと共に傾く、あるいは転倒することを防止し、日常取扱い面の安全性が保たれるようにしたことを特徴とする給油ポンプ用の収納ケース。
【考案の詳細な説明】
【技術分野】
【０００１】  本考案は、石油暖房器具などで使用する給油ポンプの保管に係わり、灯油用ポリタンクに着脱可能に取付けられる給油ポンプ用の収納ケースに関する。
【背景技術】
【０００２】  従来、給油ポンプ用の収納ケース（垂れ受け容器ともいう）は、それ自体が倒れると、中に貯まっている灯油（残油）がこぼれ出して床を汚すなど、安全性の面でも問題が生じる。従って、これを防ぐため該収納ケースに脚構造を設けて灯油用ポリタンクとは別途で単体でも倒れないようにするもの、あるいは収納ケースを灯油用ポリタンクに固定的に接続するものが提案されている。しかし、一般的には単に給油口からぶら下げるだけといった形態のものが最も普及している。
【考案の開示】
【考案が解決しようとする課題】
【０００３】  給油ポンプ用の収納ケースにおいて灯油用ポリタンクに着脱可能に取付けられる場合は、リング形状の取付け枠などをもって、上部を前記ポリタンクの給油口に引掛ける（嵌め込む）構造としただけのものが主流なのであるが、給油ポンプの収納に際して下部の固定がなされていないことにより、該給油ポンプの形態（頭部が重い）などが原因でふらつきが生じ安定度が損なわれるという問題がある。【０００４】  特に、最近の給油ポンプは電動化されているものが大多数であり、概して頭部に汲み上げモーターや電源電池部が設置されている構造となっていて、結果的に全長が長く重心が上部に移動しているものが多い。【０００５】  従って、前述の課題における収納ケースの場合は下部の固定が不十分であることから、上記のような形態からなる給油ポンプの収納時に、給油口のリング形状の取付け枠部が捻られて大きく傾いてしまうなど安定度が保てなくなるといった状態が生じ易く、ひいては給油ポンプの転倒にまで至ると収納ケースに貯まっていた残油がこぼれ出すなど、垂れ受け容器としての機能すら全く用を成さなくなるといった不具合が生じる。【０００６】  よって、本考案においては灯油用ポリタンクに取付けられる給油ポンプ用の収納ケースにおいて、その安定度が常時保たれることを技術課題とする。
【課題を解決するための手段】
【０００７】  上記課題を解決するために、本考案は以下のような構成を備えることを特徴とする。灯油用ポリタンクに着脱可能に取付けられる給油ポンプ用の収納ケースであって、上部には前記灯油用ポリタンクの給油口に取付ける枠構造を有し、更に下部にはふらつきを防止する目的で前記ポリタンクとの間で位置関係を保つ補助固定部材を有することで、給油ポンプ収納時に該ケースが給油ポンプと共に傾く、あるいは転倒することを防止し、日常取扱い面の安全性が保たれるようにする。
【考案の効果】
【０００８】  給油ポンプ用の収納ケースとして収納時の安定度や垂れ受け容器としての機能を十分に保つことが可能になる。又、基本的な灯油用ポリタンクへの着脱性についても従来の取扱いの簡便さを大きく損なうことがないため利用価値が高い。
【考案を実施するための最良の形態】
【０００９】  位置関係を保つ補助固定部材とは、収納ケースが取付けられる灯油用ポリタンクとの間において、その下部外面に沿う形で収納ケースそのものから突出するふらつき防止の形状だけでなく、収納ケースと灯油ポリタンクの下部双方を容易に取外し可能に連結するファスナー部材（マジックファスナー、磁石、その他一時固定ができるもの）など、類似のふらつき防止の目的で使用可能な部材を用いることがこれに当たる。【００１０】  本考案の実施の一形態について図面を用いて説明する。図１〜図３において、１０は給油ポンプ用の収納ケース（垂れ受け容器ともいう）、１１は給油ポンプを差し込むための開口部である収納口、１２は灯油ポリタンクの給油口に取付けられるリング状の取付け枠部、１３は本考案の補助固定部材である。２０は灯油用ポリタンク（一般家庭用でもよく使用される樹脂製タンク）、２１はその上面に突出し外周に雄ねじが形成された給油口、２２はその給油口の蓋として内周に雌ねじが形成されたキャップである。【００１１】  図１は一実施の形態の正面図であり、図２はその側面図、図３は灯油用ポリタンク２０と取付けられた収納ケース１０及び補助固定部材１３、そして収納された給油ポンプ３０の全体の設置状態を示した斜視図である。図４は補助固定部材１３の別の例であって、収納ケースに必要に応じて取付け可能とした場合の一形態を示す。図５、図６は補助固定部材１３をファスナー部材１４に置換えた別の例であって、収納ケース１０と灯油用ポリタンク２０の間にマジックファスナー（マジックテープ）や磁石（磁石テープ）といった自在に着脱可能な部材が使われる場合の一形態を示す。【００１２】  収納ケース１０は、上部の収納口１１付近に設けられた取付け枠部材１２を使って給油口２１に取付けられ、灯油用ポリタンク２０の上部から吊下げる形で設置される。そして、下部の補助固定部材１３は灯油用ポリタンク２０の下部外周に沿った形状をもって収納ケース１０の下部が図１において左右方向に振れるのを防ぐ。【００１３】  収納ケース１０は給油口１２にキャップ２２が蓋としてねじ込まれることで、収納ケース１０の上方への抜け止め、あるいは上部固定が確実となる。【００１４】  以上によって、収納ケース１０に給油ポンプ３０を給油口先端から差込んで収納した時に、例えば図３において補助固定部材１３のない状態では、頭部が重い形態からなる給油ポンプ３０によって、収納ケース１０の下部が振られることで大きく傾きが生じる、あるいは場合によって収納ケース１０の下部が持上げられて転倒に近い状態を引起すといったことで垂れ受け容器としての用を成さなくなることにもなりかねない。しかし、補助固定部材１３があることで、そのような不具合に対しての不安が除かれることになる。
【産業上の利用可能性】
【００１５】  本考案は、石油暖房器具などで使用する給油ポンプの保管時に係わり、灯油用ポリタンクに着脱可能に取付けられる収納ケースにおいて収納時の安定度や垂れ受け容器としての機能を保つことにあり、主として家庭用で使われる灯油ポリタンク及び関連器具に関する。
【図面の簡単な説明】
【００１６】
【図１】本考案の収納ケースを取付けた灯油用ポリタンクの正面図である。
【図２】本考案の収納ケースを取付けた灯油用ポリタンクの側面図である。
【図３】収納ケースに給油ポンプを収納した全体の設置状態を示した斜視図である。
【図４】収納ケースに着脱可能とした、補助固定部材の一形態を示す図である。
【図５】補助固定部材にマジックテープや磁気テープを利用する一例を示す正面図。
【図６】補助固定部材にマジックテープや磁気テープを利用する一例を示す側面図。
【符号の説明】
【００１７】  １０収納ケース
１１収納口
１２取付け枠部材
１３補助固定部材
１４ファスナー部材
２０灯油用ポリタンク
２１給油口
２２キャップ
【図１】
0003113599.tif 000003
【図２】
0003113599.tif 000004
【図３】
0003113599.tif 000005
【図４】
0003113599.tif 000006
【図５】
0003113599.tif 000007
【図６】
0003113599.tif 000008